(57)【要約】【課題】  複数のレンズを有するレンズ駆動装置において、小型化・薄型化が可能なレンズ移動体の構成及びその駆動手段を備えたレンズ駆動装置を提供すること。【解決手段】  レンズ駆動装置１は、各々がレンズを保持する第１レンズ移動体９及び第２レンズ移動体１０と、第１レンズ移動体９を光軸３１方向に移動させる第１駆動手段１２と、第２レンズ移動体１０を光軸３１方向に移動させる第２駆動手段１６と、第１及び第２レンズ移動体９、１０を光軸３１方向に移動可能に支持する固定体２４とを備えている。第１及び第２駆動手段１２、１６は光軸３１方向に推力を発生する磁気的駆動手段であり、第１及び第２レンズ移動体９、１０は光軸３１方向の２箇所で停止可能に構成されている。第１レンズ移動体９は筒状に形成され、第２レンズ移動体１０は第１レンズ移動体９の内周側で光軸３１方向に移動可能になっている。【選択図】      図１
2005308780.tif 000002
【特許請求の範囲】
【請求項１】
レンズを保持するレンズ移動体と、該レンズ移動体を前記レンズの光軸方向に移動させる駆動手段と、前記レンズ移動体を光軸方向に移動可能に支持する固定体とを備え、前記駆動手段は光軸方向に推力を発生する磁気的駆動手段であるとともに、前記レンズ移動体を光軸方向の少なくとも２箇所で停止可能に構成したレンズ駆動装置において、
前記レンズ移動体は、各々がレンズを保持する少なくとも第１レンズ移動体と第２レンズ移動体とから構成され、前記第１レンズ移動体は筒状に形成され、前記第２レンズ移動体は前記第１レンズ移動体の内周側で光軸方向に移動可能に構成されていることを特徴とするレンズ駆動装置。
【請求項２】
前記第１レンズ移動体は、該第１レンズ移動体が前記固定体から突出して停止する第１停止位置と、前記第１レンズ移動体が前記固定体へ格納されて停止する第２停止位置とで停止可能に構成されていることを特徴とする請求項１記載のレンズ駆動装置。
【請求項３】
前記第１レンズ移動体が前記第１停止位置で停止した状態で、広角撮影及び望遠撮影が可能になることを特徴とする請求項２記載のレンズ駆動装置。
【請求項４】
前記第１レンズ移動体が前記第１停止位置で停止した状態で、前記第２レンズ移動体が移動可能に構成されていることを特徴とする請求項２又は３記載のレンズ駆動装置。
【請求項５】
前記第１レンズ移動体が前記第２停止位置で停止した状態で、前記第２レンズ移動体が移動可能に構成され、
前記第２レンズ移動体は、前記第１レンズ移動体と磁気的に結合する結合停止位置と前記第１レンズ移動体と磁気的に分離された分離停止位置とで停止可能に構成され、
前記第２レンズ移動体が前記結合停止位置で停止した状態では、前記第１レンズ移動体と前記第２レンズ移動体とが一体で前記第２停止位置から前記第１停止位置まで移動し、前記第２レンズ移動体が分離停止位置で停止した状態では、前記第１レンズ移動体のみが前記第２停止位置から前記第１停止位置まで移動することを特徴とする請求項２又は３記載のレンズ駆動装置。
【請求項６】
前記駆動手段は、少なくとも前記第１レンズ移動体を光軸方向に移動させる第１駆動手段と、前記第２レンズ移動体を光軸方向に移動させる第２駆動手段とから構成され、
前記第１駆動手段は第１駆動コイルと第１駆動磁石とが光軸方向に配置されて構成されるとともに、前記第２駆動手段は第２駆動コイルと第２駆動磁石とが光軸方向に配置されて構成され、前記第１駆動磁石が前記第１レンズ移動体に固定され、前記第２駆動磁石が前記第２レンズ移動体に固定され、
尚かつ、前記第１駆動手段と前記第２駆動手段とが光軸に対して略同心円状でかつ径方向に重合するように構成されていることを特徴とする請求項１記載のレンズ駆動装置。
【請求項７】
前記第１駆動磁石及び前記第２駆動磁石には、径方向で逆極が対向するように径方向で着磁が施されていることを特徴とする請求項６記載のレンズ駆動装置。
【請求項８】
前記第１駆動磁石及び前記第２駆動磁石には、径方向で同極が対向するように径方向で着磁が施されていることを特徴とする請求項６記載のレンズ駆動装置。
【請求項９】
前記固定体を光軸方向に移動させる固定体駆動手段を更に備えることを特徴とする請求項１記載のレンズ駆動装置。
【発明の詳細な説明】
【技術分野】
【０００１】
本発明は、カメラ付き携帯電話機のカメラなどの比較的小型のカメラ等に用いられるレンズ駆動装置に関する。
【背景技術】
【０００２】
カメラ付き携帯電話機等に搭載される薄型のカメラは、撮影時における焦点調整やズーム調整を行うためのレンズ移動距離が通常のカメラに比べて短くなっている。そのため、これらのカメラに適用されるレンズ駆動装置としては、レンズを直接、磁気駆動するレンズ駆動装置が適している。レンズを直接、磁気駆動するレンズ駆動装置として、従来から、レンズを保持するレンズ移動体と、レンズ移動体をレンズの光軸方向に移動させる駆動手段と、レンズ移動体を光軸方向に移動可能に支持する固定体とを備えたレンズ駆動装置が用いられている。
【０００３】
この種のレンズ駆動装置としては、１枚のレンズを保持するレンズホルダ（レンズ移動体）と、レンズホルダの外周に取り付けられたリング状の駆動磁石及び駆動磁石に対向する駆動コイルからなる駆動手段とを備え、駆動コイルを通電制御することで、駆動手段が直接、光軸方向に推力を発生してレンズホルダを光軸方向に移動させ、レンズホルダを光軸方向の２箇所で停止可能に構成したレンズ駆動装置が知られている（例えば、特許文献１参照）。
【０００４】
また、レンズを保持するレンズ枠（レンズ移動体）と、駆動手段としてのモータと、モータの回転を直進運動に変換する変換機構とを備え、レンズ枠をガイド軸によって光軸方向に移動可能としたレンズ駆動装置も知られている（例えば、特許文献２参照）。
【特許文献１】特開平１０−１５０７５９号公報
【特許文献２】特開平１０−１４２４７２号公報
【発明の開示】
【発明が解決しようとする課題】
【０００５】
昨今の撮影機能の多様化に伴い、カメラのレンズ構成が複雑になってきている。すなわち、レンズ駆動装置に搭載されるレンズ構成が増え、またレンズの駆動手段も複雑になってきている。一方で、携帯電話などの携帯機器では小型化・軽量化の要請が強く、カメラの小型化・薄型化ひいては、レンズ駆動装置の小型化・薄型化の要請も年々強くなってきている。ここで、小型化・薄型化の要請から、レンズ駆動装置の駆動源として、特許文献２に記載の回転を直進運動に変換する変換機構を必要とするモータを採用することは難しい。そのため、特許文献１に記載の駆動手段が光軸方向に推力を発生するレンズ駆動装置の方が、小型化・薄型化が要求されるカメラのレンズ駆動装置としては適している。
【０００６】
しかしながら、特許文献１には、１枚のレンズを有するレンズ移動体の構成やレンズ移動体の駆動手段が開示されているに過ぎず、年々高まっていく小型化・薄型化の要請に応えつつ、どのように複数のレンズをレンズ移動体に配置しあるいはそのレンズ移動体を駆動するかの具体的な提案がなされていない。
【０００７】
そこで、本発明の課題は、複数のレンズを有するレンズ駆動装置において、小型化・薄型化が可能なレンズ移動体の構成及びその駆動手段を備えたレンズ駆動装置を提供することにある。
【課題を解決するための手段】
【０００８】
上記の課題を解決するために、本発明では、レンズを保持するレンズ移動体と、該レンズ移動体を前記レンズの光軸方向に移動させる駆動手段と、前記レンズ移動体を光軸方向に移動可能に支持する固定体とを備え、前記駆動手段は光軸方向に推力を発生する磁気的駆動手段であるとともに、前記レンズ移動体を光軸方向の少なくとも２箇所で停止可能に構成したレンズ駆動装置において、前記レンズ移動体は、各々がレンズを保持する少なくとも第１レンズ移動体と第２レンズ移動体とから構成され、前記第１レンズ移動体は筒状に形成され、前記第２レンズ移動体は前記第１レンズ移動体の内周側で光軸方向に移動可能に構成されていることを特徴とする。
【０００９】
本発明では、レンズ移動体は、少なくとも第１レンズ移動体と第２レンズ移動体とから構成され、筒状に形成された第１レンズ移動体の内周側で第２レンズ移動体が光軸方向に移動可能に構成されている。そのため、第１レンズ移動体の内部へ第２レンズ移動体を格納することが可能となる。従って、レンズ駆動装置を径方向で小型化することが可能となる。また、カメラの不使用時に第２レンズ移動体を第１レンズ移動体の内部へ格納することで、カメラの不使用時におけるレンズ駆動装置の光軸方向での小型化・薄型化を図ることことができる。
【００１０】
本発明において、前記第１レンズ移動体は、該第１レンズ移動体が前記固定体から突出して停止する第１停止位置と、前記第１レンズ移動体が前記固定体へ格納されて停止する第２停止位置とで停止可能に構成されていることが好ましい。この場合には、第１レンズ移動体を固定体に格納することが可能となる。すなわち、第１レンズ移動体及び第２レンズ移動体を固定体に格納することが可能となり、カメラの不使用時におけるレンズ駆動装置の光軸方向の小型化・薄型化を図ることができる。
【００１１】
本発明において、前記第１レンズ移動体が前記第１停止位置で停止した状態で、広角撮影及び望遠撮影が可能になることが好ましい。第１レンズ移動体が固定体から突出して停止する第１停止位置で広角撮影及び望遠撮影をできるようにすることで固定体の光軸方向の小型化・薄型化を図ることができる。すなわち、第１レンズ移動体が固定体に格納された位置で広角撮影又は望遠撮影を可能とした場合には、レンズの焦点距離を考慮して固定体の光軸方向の厚みを決めていく必要があるが、固定体から突出した位置で広角撮影及び望遠撮影ができることから、レンズの焦点距離に関係なく固定体の光軸方向の厚みを薄くすることができる。その結果、固定体の光軸方向の小型化・薄型化を図ることが可能となる。
【００１２】
本発明において、前記第１レンズ移動体が前記第１停止位置で停止した状態で、前記第２レンズ移動体が移動可能に構成することができる。この場合には、第２停止位置では第２レンズ移動体を移動させる必要がない。そのため、第２停止位置で第２レンズ移動体を移動させる場合に比べ、その移動ストローク分だけ、レンズ駆動装置の光軸方向の厚みを薄くすることができる。すなわち、第１レンズ移動体及び第２レンズ移動体が固定体に格納された状態のレンズ駆動装置の光軸方向の厚みを薄くすることが可能となる。
【００１３】
本発明において、前記第１レンズ移動体が前記第２停止位置で停止した状態で、前記第２レンズ移動体が移動可能に構成され、前記第２レンズ移動体は、前記第１レンズ移動体と磁気的に結合する結合停止位置と前記第１レンズ移動体と磁気的に分離された分離停止位置とで停止可能に構成され、前記第２レンズ移動体が前記結合停止位置で停止した状態では、前記第１レンズ移動体と前記第２レンズ移動体とが一体で前記第２停止位置から前記第１停止位置まで移動し、前記第２レンズ移動体が分離停止位置で停止した状態では、前記第１レンズ移動体のみが前記第２停止位置から前記第１停止位置まで移動するようにすることができる。
【００１４】
第１レンズ移動体が第２停止位置で停止した状態で、第２レンズ移動体が移動可能に構成した場合には、第２レンズ移動体の駆動手段を簡素化できる。すなわち、第１レンズ移動体が固定体から突出して停止した第１停止位置で第２レンズ移動体を移動可能とした場合には、第２レンズ移動体の移動ストロークが長くなるため、その分、第２レンズ移動体を移動させるための磁気的駆動力が必要になる。しかし、第１レンズ移動体が固定体へ格納されて停止した第２停止位置で第２レンズ移動体を移動可能とした場合には、第２レンズ移動体の移動ストロークが短くなり、第２レンズ移動体の磁気的駆動力を小さくすることができる。従って、第２レンズ移動体の駆動手段を簡素化が可能となる。
【００１５】
本発明において、前記駆動手段は、少なくとも前記第１レンズ移動体を光軸方向に移動させる第１駆動手段と、前記第２レンズ移動体を光軸方向に移動させる第２駆動手段とから構成され、前記第１駆動手段は第１駆動コイルと第１駆動磁石とが光軸方向に配置されて構成されるとともに、前記第２駆動手段は第２駆動コイルと第２駆動磁石とが光軸方向に配置されて構成され、前記第１駆動磁石が前記第１レンズ移動体に固定され、前記第２駆動磁石が前記第２レンズ移動体に固定され、尚かつ、前記第１駆動手段と前記第２駆動手段とが光軸に対して略同心円状でかつ径方向に重合するように構成されていることが好ましい。
【００１６】
第１レンズ移動体に固定された第１駆動磁石を備える第１駆動手段と、第２レンズ移動体に固定された第２駆動磁石を備える第２駆動手段とが、光軸に対して略同心円状でかつ径方向に重合するように構成されている。そのため、第１レンズ移動体及び第２レンズ移動体の停止位置と第１駆動磁石及び第２駆動磁石の配置位置を適切に設定することで、第１レンズ移動体及び第２レンズ移動体の停止時において、第１駆動磁石と第２駆動磁石との間で磁気的吸引力あるいは磁気的反発力を発生させるように構成することが可能となる。例えば、第１駆動磁石と第２駆動磁石とを径方向で対向させて磁気的吸引力あるいは磁気的反発力を発生させることができる。従って、磁気的吸引力あるいは磁気的反発力を、第１レンズ移動体及び第２レンズ移動体の停止時におけるこれらのレンズ移動体の保持力として利用することができる。その結果、第１レンズ移動体及び第２レンズ移動体を所定の停止位置の保持する保持力を高めることができ、耐振動性及び耐衝撃性の向上を図ることができる。
【００１７】
このとき、前記第１駆動磁石及び前記第２駆動磁石には、径方向で逆極が対向するように径方向で着磁を施すことができる。この場合には、第１駆動磁石と第２駆動磁石との磁気的吸引力を保持力として利用できる。また、前記第１駆動磁石及び前記第２駆動磁石には、径方向で同極が対向するように径方向で着磁を施すこともできる。この場合には、第１駆動磁石と第２駆動磁石との磁気的反発力を保持力として利用できる
【００１８】
本発明において、前記固定体を光軸方向に移動させる固定体駆動手段を更に備えることが好ましい。固定体を光軸方向に移動させることで、望遠撮影、広角撮影に加え、マクロ（接写）撮影も可能となり、レンズ駆動装置が搭載されるカメラの多機能化を図ることができる。
【発明の効果】
【００１９】
以上のように本発明では、筒状に形成された第１レンズ移動体の内周側で第２レンズ移動体が光軸方向に移動可能に構成されている。そのため、第１レンズ移動体の内部へ第２レンズ移動体を格納することが可能となり、レンズ駆動装置を径方向で小型化することができる。また、カメラの不使用時に第２レンズ移動体を第１レンズ移動体の内部へ格納することで、カメラの不使用時におけるレンズ駆動装置の光軸方向の小型化・薄型化を図ることができる。従って、複数のレンズを備え、レンズ構成が複雑になるレンズ駆動装置においても装置の小型化・薄型化が可能になる。
【発明を実施するための最良の形態】
【００２０】
以下、本発明を実施するための最良の形態を図面に基づいて説明する。
【００２１】
［実施の形態１］
図１は、本発明の実施の形態１にかかるレンズ駆動装置を示す側面断面図である。図２は、図１に示すレンズ駆動装置の広角撮影時の状態を示す側面断面図である。図３は、図１に示すレンズ駆動装置の望遠撮影時の状態を示す側面断面図である。図４は、第１駆動磁石及び第２駆動磁石の着磁関係を説明する説明図である。図５は、第２レンズ移動体を示す上面図である。図６は、固定体の固定レンズホルダを示す上面図である。
【００２２】
（レンズ駆動装置の構成）
本形態にかかるレンズ駆動装置１は、携帯電話等の携帯機器に搭載される薄型のカメラに適用されるレンズ駆動装置であり、第１移動レンズ２を保持する第１レンズ移動体９と、第２移動レンズ３及び第３移動レンズ４を保持する第２レンズ移動体１０とから構成されるレンズ移動体８と、第１レンズ移動体９をレンズの光軸３１方向へ移動させる第１駆動手段１２と、第２レンズ移動体１０をレンズの光軸３１方向へ移動させる第２駆動手段１６と、第１レンズ移動体９及び第２レンズ移動体１０を光軸３１方向へ移動可能に支持するとともに固定レンズ５を保持する固定体２４とから主に構成されている。
【００２３】
第１レンズ移動体９は筒状に形成されている。より具体的には、底部９ａを有する有底円筒状に形成されており、開口側が図示下方向を向くように配設されている。底部９ａには、第１移動レンズ２を保持するレンズ保持部９ｂが形成されている。レンズ保持部９ｂは、底部９ａから図示上方向へ突出するように形成されている。レンズ保持部９ｂの中心部には、被写体からの反射光をレンズに取り込む円形の入射窓９ｃが形成されている。
【００２４】
第１レンズ移動体９の外周面には、底部９ａから光軸３１方向へ延在する縦溝９ｄが円周方向で数箇所形成されている。縦溝９ｄは、第１レンズ移動体９の光軸３１方向の略中間部分まで延在しており、縦溝９ｄの光軸３１方向の端部が当接面９ｅとなっている。また、第１レンズ移動体９の開口側（図示下端側）の外周面には、第１駆動手段１２を構成する後述の第１駆動磁石１３が固定される段部９ｆが全周にわたって形成されている。
【００２５】
第２レンズ移動体１０は、第２移動レンズ３及び第３移動レンズ４が中心部に固定保持される略円筒状のレンズ保持部１０ａと、第１レンズ移動体９の内周面と摺動する摺動部１０ｂと、レンズ保持部１０ａから径方向外側に延在してレンズ保持部１０ａと摺動部１０ｂとを繋ぐ腕部１０ｃとから構成されている。
【００２６】
摺動部１０ｂは、円筒を周方向に分割したときのその分割体とほぼ同様の形状をしており、摺動部１０ｂの径方向外側は円弧状に形成された摺動面１０ｂ１となっている（図５参照）。本形態では、摺動部１０ｂは、円筒を４５度で分割したときの分割体とほぼ同様に形状をしており、円周方向にほぼ等角度で４箇所に設けられている。また、摺動体１０ｂの光軸３１方向に長さは、第１レンズ移動体９の光軸３１方向に長さよりも短くなっており、第１レンズ移動体９の内部へ第２レンズ移動体１０を格納することができるようになっている。
【００２７】
腕部１０ｃは光軸３１方向に扁平な形状をしており、摺動部１０ｂの光軸３１方向の中間位置でレンズ保持部１０ａと摺動部１０ｂとを繋いでいる。また、レンズ保持部１０ａと腕部１０ｃの境界部分には、後述のレンズ固定部材３０を固定するための固定孔１０ｄが光軸３１方向に貫通するように形成されている。
【００２８】
第２レンズ移動体１０は、第１レンズ移動体９の内周側に嵌り込んで、光軸３１方向に移動可能に構成されている。すなわち、摺動部１０ｂの摺動面１０ｂ１と第１レンズ移動体９の内周面とが摺動して、第２レンズ移動体１０が光軸３１方向に移動するように構成されている。
【００２９】
固定体２４は、レンズ移動体８、第１駆動手段１２及び第２駆動手段１６が収納されるケース体を構成する上ケース体２５及び下ケース体２６と、固定レンズ５が保持固定される固定レンズホルダ２７とを備えて構成されている。また、下ケース体２６の下側には図示を省略する撮像素子が取り付けられるようになっている。
【００３０】
上ケース体２５は、底部２５ａを有する有底円筒状に形成されており、開口側が図示下方向を向くように配設されている。底部２５ａの中心部には、第１レンズ移動体９が図示上方へ突出できるように開口部が形成されている。また、その開口部の開口端には、第１レンズ移動体９の縦溝９ｄと係合する係合突起２５ｂが形成されている。係合突起２５ｂは縦溝９ｄと係合して、第１レンズ移動体９を光軸３１方向へ案内するガイドと、第１レンズ移動体９の回止めとを構成している。また、係合突起２５ｂの図示下面が第１レンズ移動体９の当接面９ｅと当接して第１レンズ移動体９の図示上方向の可動範囲が規制されるようになっている。
【００３１】
下ケース体２６は、底部２６ａを有する有底円筒状に形成されており、開口側が図示上方向を向くように配設されている。底部２６ａの中心部には、固定レンズホルダ２７を取り付けるための取付孔が形成されている。取付孔には光軸３１方向にメネジが形成されている。また、底部２６ａには、図示を省略する回路基板に下ケース体２６を固定するために、図示下方へ延在する円筒状の固定部２６ｂが形成されている。
【００３２】
有底円筒状の下ケース体２６は開口側が上ケース体２５の開口側と固定されてケース体が構成される。尚、この上ケース体２５と下ケース体２６とを固定する際には、後述の第１駆動磁石１３及び第１駆動コイル１４、１５が所定の位置に配設されており、第１レンズ移動体９の可動範囲の調整が行われることになる。
【００３３】
固定レンズホルダ２７は、図示上端側に鍔部２７ａを有する略円筒状に形成されている。固定レンズホルダ２７の外周面の下端側には、下ケース体２６の取付孔に形成されたメネジと螺合するオネジが形成されており、固定レンズホルダ２７の下端側が下ケース体２６の取付孔に固定されるようになっている。尚、下ケース体２６に形成されたメネジと固定レンズホルダ２７に形成されたオネジとにより、下ケース体２６に取り付けられた撮像素子と固定レンズホルダ２７に保持固定された固定レンズ５との取付距離が調整できるようになっている。
【００３４】
固定レンズホルダ２７の鍔部２７ａは、第２レンズ移動体１０の摺動部１０ｂの外径と略同一の外径を有するように形成されている。この鍔部２７ａの外周側には、光軸３１の方向で図示上方へ起立する起立部２７ｂが形成されている（図３、図６参照）。起立部２７ｂは、等角度間隔で円周方向に離間した状態で４箇所に形成されている。また、各起立部２７ｂ間における鍔部２７ａの上面は、第２レンズ移動体１０の摺動部１０ｂの底面が当接する当接面２７ｃとなっている。
【００３５】
起立部２７ｂの外周面は、鍔部２７ａと略同一の外径すなわち摺動部１０ｂと略同一の外径を有する円弧面となっており、起立部２７ｂの外周面と鍔部２７ａの外周面とによって摺動面２７ｄが形成されている。そして、摺動部１０ｂの底面が当接面２７ｃに当接した状態では、各起立部２７ｂの間に第２レンズ移動体１０の摺動部１０ｂが配置されるようになっている。
【００３６】
起立部２７ｂには、第１レンズ移動体９の内周側が嵌め込まれて、固定レンズホルダ２７に対して、第１レンズ移動体９が光軸３１方向へ移動可能に構成されている。すなわち、固定レンズホルダ２７の摺動面２７ｄと第１レンズ移動体９の内周面とが摺動して、第１レンズホルダ９が固定体２４に対して光軸３１方向に移動可能に構成されている。
【００３７】
当接面２７ｃの内側には、後述の第２駆動コイル１９が載置されるコイル載置部２７ｅが当接面２７ｃから一段下がった位置にリング状に形成されている。また、コイル載置部２７ｅから更に一段下がった位置には、固定レンズ５を保持するレンズ保持部２７ｆがリング状に形成されている。
【００３８】
第１駆動手段１２は、第１駆動磁石１３と一対の第１駆動コイル１４、１５とから構成された磁気的駆動手段である。第１駆動磁石１３は、本形態ではリング状の永久磁石であり、径方向に着磁が施されている。具体的には、第１駆動磁石１３の内周側がＮ極に着磁され、外周側がＳ極に着磁されている（図４参照）。また、一対の第１駆動コイル１４、１５もリング状のボビンにリング状に巻回されて形成されている。
【００３９】
第１駆動磁石１３は、第１レンズ移動体９の外周面より径方向外方へ突出した状態で段部９ｆに固定されている。一方の第１駆動コイル１４は、上ケース体２５の底部２５ａの外周側でかつ図示下面に扁平なリング状の磁性片２０を介して固定されている。また、他方の第１駆動コイル１５は、下ケース体２６の底部２６ａの外周側でかつ図示上面に扁平なリング状の磁性片２１を介して固定されている。
【００４０】
第１駆動磁石１３及び一対の第１駆動コイル１４、１５がそれぞれ固定された状態では、それぞれが光軸３１の方向に重なり合うように第１駆動コイル１４、第１駆動磁石１３、第１駆動コイル１５の順番で図示上側から配置されている。そして、第１駆動コイル１４及び／又は第１駆動コイル１５に通電することで、第１駆動磁石１３と第１駆動コイル１４及び／又は第１駆動コイル１５との間で磁気的吸引力あるいは磁気的反発力が作用して、第１駆動磁石１３に光軸３１方向の推力が発生するようになっている。また、この状態では、第１レンズ移動体９の外周側に磁性片２０及び第１駆動コイル１４が配置されるようになっている。
【００４１】
第２駆動手段１６は、第２駆動磁石１７と一対の第２駆動コイル１８、１９とから構成された磁気的駆動手段である。第２駆動磁石１７は第１駆動磁石１３と同様に、本形態ではリング状の永久磁石であり、内周側がＮ極、外周側がＳ極となるように径方向に着磁が施されている（図４参照）。すなわち、第１駆動磁石１３及び第２駆動磁石１７には、径方向で逆極であるＮ極（第１駆動コイル１３の内周側）とＳ極（第２駆動コイル１７の外周側）とが対向するように径方向に着磁が施されている。また、一対の第２駆動コイル１８、１９もリング状のボビンにリング状に巻回されて形成されている。
【００４２】
第２駆動磁石１７は、第２レンズ移動体１０の腕部１０ｃの上面に固定されている。一方の第２駆動コイル１８は、第１レンズ移動体９の底部９ａの外周側でかつ図示下面に扁平なリング状の磁性片２２を介して固定されている。また、他方の第２駆動コイル１９は、固定レンズホルダ２７のコイル載置部２７ｅに扁平なリング状の磁性片２３を介して固定されている。
【００４３】
第２駆動磁石１７及び一対の第２駆動コイル１８、１９がそれぞれ固定された状態では、それぞれが光軸３１の方向に重なり合うように第２駆動コイル１８、第２駆動磁石１７、第２駆動コイル１９の順番で図示上側から配置されている。そして、第２駆動コイル１８及び／又は第２駆動コイル１９に通電することで、第２駆動磁石１７と第２駆動コイル１８及び／又は第２駆動コイル１９との間で磁気的吸引力あるいは磁気的反発力が作用して、第２駆動磁石１７に光軸３１方向の推力が発生するようになっている。また、この状態では、第２レンズ移動体１０の摺動部１０ｂの上側に第２駆動コイル１８が配置され、第２レンズ移動体１０の腕部１０ｃの下側に第２駆動コイル１９が配置されるようになっている。
【００４４】
図１に示すように、第１駆動手段１２と第２駆動手段１６とは光軸３１に対して略同心円状に配置されている。また、第１駆動手段１２と第２駆動手段１６とは径方向に重合するように構成されている。すなわち、図示上側に配置された第１駆動コイル１４と第２駆動コイル１８とは光軸３１方向で略同一に高さに配置されており、また、図示下側に配置された第２駆動コイル１９は、光軸３１方向で一対の第１駆動コイル１４、１５の間に配置されるようになっている。従って、第１駆動手段１２と第２駆動手段１６とは、径方向で重合している。
【００４５】
レンズ駆動装置１は、第１移動レンズ２と第２移動レンズ３と第３移動レンズ４と固定レンズ５との４枚のレンズを備えている。第１移動レンズ２は、その外周端が第１レンズ移動体９のレンズ保持部９ｂと磁性片２２とによって挟み込まれて第１レンズ移動体９に固定されている。第２移動レンズ３と第３移動レンズ４とは図示上側からこの順番で、絞り６を介して第２レンズ移動体１０のレンズ保持部１０ａに配置されており、レンズ固定部材３０によってレンズ保持部１０ａに固定されている。レンズ固定部材３０はその一部が固定孔１０ｄに挿入された状態で第２レンズ移動体１０に固定されている。固定レンズ５は、その外周端が固定レンズホルダ２７のレンズ保持部２７ｆと磁性片２３とによって挟み込まれて固定レンズホルダ２７に固定されている。
【００４６】
（撮影時におけるレンズ駆動装置の状態）
本形態のレンズ駆動装置１では、第１レンズ移動体９は、第１レンズ移動体９が固定体２４から図示上方へ突出して停止する第１停止位置と、第１レンズ移動体９が固定体２４へ格納されて停止する第２停止位置とで停止可能に構成されており、第１レンズ移動体９が第１停止位置で停止した状態で、広角撮影及び望遠撮影が可能になっている。また、第１レンズ移動体９が第１停止位置で停止した状態で、第２レンズ移動体１０が移動可能となるように構成されている。そして、本形態のレンズ駆動装置１が搭載されるカメラでは、図１に示す状態がカメラの不使用時の状態となる。この状態から、第１レンズ移動体９及び／又は第２レンズ移動体１０が光軸３１方向へ移動して図２に示す広角撮影時の状態又は図３に示す望遠撮影時の状態になる。以下、各撮影時におけるレンズ駆動装置１の状態を説明する。
【００４７】
各撮影時の状態を説明する前に、図１に示す不使用時のレンズ駆動装置１の状態を説明する。この状態では、第２レンズ移動体１０の摺動部１０ｂの底面が固定レンズホルダ２７の当接面２７ｃに当接し、また、図示上側に配置された第２駆動コイル１８が巻回されたコイルボビンが第２レンズ移動体１０の摺動部１０ｂの上面に当接することで第１レンズ移動体９の下方向の可動範囲が規制されている。このときの第１レンズ移動体９の停止位置が第２停止位置になっている。
【００４８】
第１レンズ移動体９が第２停止位置で停止しているときには、第１レンズ移動体９及び第２レンズ移動体１０が固定体２４の内部へ格納されている。このとき、固定体２４から図示上方には第１レンズ移動体９のレンズ保持部９ｂのみが突出した状態になっている。また、図示下側の第２駆動コイル１９は、第２レンズ移動体１０の腕部１０ｃの下側でかつ摺動部１０ｂの径方向内側に配置されるようになっている。
【００４９】
尚、この不使用時の状態では、一対の第１駆動コイル１４、１５及び第２駆動コイル１８、１９への通電が停止されている。このとき、第１レンズ移動体９は、第１駆動磁石１３と磁性片２１との間に生じる磁気的吸引力により安定的に停止している。また、第２レンズ移動体１０は、第２駆動磁石１７と磁性片２３との間に生じる磁気的吸引力により安定的に停止している。
【００５０】
図１に示す不使用時の状態で、第１駆動磁石１３に対して図示上方に推力を生じさせるように一対の第１駆動コイル１４及び１５の少なくともいずれか一方に通電がされると、第１駆動磁石１３と第１駆動コイル１４及び／又は１５との間に生じる磁気的な作用によって、第１レンズ移動体９が図示上方に移動して、図２に示す広角撮影時の状態になる。尚、図３に示す望遠撮影時の状態で、第２駆動磁石１７に対して図示下方に推力を生じさせるように一対の第２駆動コイル１８及び１９の少なくともいずれか一方に通電がされる場合においても、第２駆動磁石１７と第２駆動コイル１８及び／又は１９との間に生じる磁気的な作用によって、第２レンズ移動体１０が図示下方に移動して、図２に示す広角撮影時の状態になる。
【００５１】
広角撮影時の状態では、第１レンズ移動体９の当接面９ｅと上ケース体２５の係合突起２５ｄの図示下面とが当接することで、第１レンズ移動体９の上方向の可動範囲が規制されている。このときの第１レンズ移動体９の停止位置が第１停止位置になっており、第１レンズ移動体９が固定体２４から突出した状態になる。また、第２レンズ移動体１０は、不使用時の状態と同様に、第２レンズ移動体１０の摺動部１０ｂの底面が固定レンズホルダ２７の当接面２７ｃに当接した状態で停止している。
【００５２】
この状態では、図２に示すように第１駆動磁石１３と第２駆動磁石１７とが光軸３１方向で略同一平面上に配置されるようになっている。そのため、第１駆動磁石１３と第２駆動磁石１７との間には磁気的吸引力が発生している。また、不使用の状態と同様に一対の第１駆動コイル１４、１５及び第２駆動コイル１８、１９への通電が停止されている。このとき、第１レンズ移動体９は、第１駆動磁石１３と磁性片２０との間に生じる磁気的吸引力及び第１駆動磁石１３と第２駆動磁石１７との間には磁気的吸引力により安定的に停止している。また、第２レンズ移動体１０は、第２駆動磁石１７と磁性片２３との間に生じる磁気的吸引力及び第１駆動磁石１３と第２駆動磁石１７との間には磁気的吸引力により安定的に停止している。
【００５３】
図２に示す広角撮影時の状態で、第２駆動磁石１７に対して図示上方に推力を生じさせるように一対の第２駆動コイル１８及び１９の少なくともいずれか一方に通電がされると、第２駆動磁石１７と第２駆動コイル１８及び／又は１９との間に生じる磁気的な作用によって、第２レンズ移動体１０が図示上方に移動して、図３に示す望遠撮影時の状態になる。尚、図１に示す不使用時の状態で、第２駆動磁石１７に対して図示上方に推力を生じさせるように一対の第２駆動コイル１８及び１９の少なくともいずれか一方に通電がされ、かつ、第１駆動磁石１３に対して図示上方に推力を生じさせるように一対の第１駆動コイル１４及び１５の少なくともいずれか一方に通電がされる場合においても、第１レンズ移動体９と第２レンズ移動体１０とが一体で図示上方に移動して、図３に示す望遠撮影時の状態になる。
【００５４】
望遠撮影時の状態では、広角撮影時と同様に、第１レンズ移動体９の当接面９ｅと上ケース体２５の係合突起２５ｄの図示下面とが当接することで、第１レンズ移動体９の上方向の可動範囲が規制されている。すなわち、第１レンズ移動体９は第１停止位置に停止している。また、第２レンズ移動体１０は、第２レンズ移動体１０の摺動部１０ｂの上面が図示上側に配置された第２駆動コイル１８が巻回されたコイルボビンに当接した状態で停止している。
【００５５】
この状態でも、一対の第１駆動コイル１４、１５及び第２駆動コイル１８、１９への通電が停止されている。このとき、第１レンズ移動体９は、第１駆動磁石１３と磁性片２０との間に生じる磁気的吸引力により安定的に停止している。また、第２レンズ移動体１０は、第２駆動磁石１７と磁性片２２との間に生じる磁気的吸引力により安定的に停止している。
【００５６】
（本形態の効果）
以上説明したように、本形態のレンズ駆動装置１では、レンズ移動体８が、第１レンズ移動体９と第２レンズ移動体１０とから構成され、筒状に形成された第１レンズ移動体９の内周側で第２レンズ移動体１０が光軸３１方向に移動可能に構成されている。そのため、第１レンズ移動体９の内部へ第２レンズ移動体１０を格納することが可能となる。従って、レンズ駆動装置１を径方向で小型化することが可能となる。また、カメラの不使用時に第２レンズ移動体１０を第１レンズ移動体９の内部へ格納することで、カメラの不使用時におけるレンズ駆動装置１の光軸３１方向での小型化・薄型化が可能となる。
【００５７】
本形態では、第１レンズ移動体９が、第１レンズ移動体９が固定体２４から図示上方へ突出して停止する第１停止位置と、第１レンズ移動体９が固定体２４へ格納されて停止する第２停止位置とで停止可能に構成されている。そのため、第１レンズ移動体９及び第２レンズ移動体１０を固定体２４に格納することができ、カメラの不使用時におけるレンズ駆動装置１の光軸３１方向の小型化・薄型化を更に図ることができる。
【００５８】
本形態では、第１レンズ移動体９が第１停止位置で停止した状態で、図２に示す広角撮影及び図３に示す望遠撮影が可能になっている。第１レンズ移動体９が第１停止位置で広角撮影及び望遠撮影ができるため固定体２４の光軸３１方向の小型化・薄型化を図ることができる。すなわち、第１レンズ移動体９が固定体２４に格納された位置で広角撮影又は望遠撮影をする場合、レンズの焦点距離を考慮して固定体２４の光軸３１方向の厚みを決めていく必要がある。本形態では、固定体２４から突出した位置で広角撮影及び望遠撮影ができることから、レンズの焦点距離に関係なく固定体２４の光軸３１方向の厚みを薄くすることができる。その結果、固定体２４の光軸３１方向の小型化・薄型化を図ることができる。
【００５９】
本形態では、第１レンズ移動体９が第１停止位置で停止した状態で、第２レンズ移動体１０を移動可能に構成し、第２停止位置では第２レンズ移動体１０を移動させないように構成している。そのため、第２停止位置で第２レンズ移動体１０を移動させる場合に比べ、その移動ストローク分だけ、レンズ駆動装置１の光軸３１方向の厚みを薄くすることができる。すなわち、第１レンズ移動体９及び第２レンズ移動体１０が固定体２４に格納された状態のレンズ駆動装置１の光軸３１方向の厚みを薄くすることができる。
【００６０】
本形態では、第１駆動手段１２は、一対の第１駆動コイル１４、１５と第１駆動磁石１３とが光軸３１方向に配置されて構成されるとともに、第２駆動手段１６は、一対の第２駆動コイル１８、１９と第２駆動磁石１７とが光軸３１方向に配置されて構成されている。また、第１レンズ移動体９に固定された第１駆動磁石１３を備える第１駆動手段１２と、第２レンズ移動体１０に固定された第２駆動磁石１７を備える第２駆動手段１６とが、光軸３１に対して略同心円状でかつ径方向に重合するように構成されている。そのため、広角撮影時の状態において、第１駆動磁石１３と第２駆動磁石１７とを光軸３１方向で略同一平面上に配置することできる。さらに、図４に示すように、第１駆動磁石１３及び第２駆動磁石１７には、径方向で逆極であるＮ極（第１駆動コイル１３の内周側）とＳ極（第２駆動コイル１７の外周側）とが対向するように径方向に着磁が施されている。従って、広角撮影時の状態において、第１駆動磁石１３と第２駆動磁石１７との間に磁気的吸引力を発生させることができる。その結果、磁気的吸引力を、第１レンズ移動体９及び第２レンズ移動体１０の停止時におけるこれらのレンズ移動体９、１０の保持力として利用することができ、第１レンズ移動体及び第２レンズ移動体を安定的に停止させることができる。ゆえに、本形態では、特に、携帯電話用のカメラとして多用される広角撮影時の耐振動性及び耐衝撃性の向上を図ることができる。
【００６１】
本形態では、第１レンズ移動体９が第２停止位置で停止している状態、すなわち、第１レンズ移動体９及び第２レンズ移動体１０が固定体２４に格納されている状態では、図示下側の第２駆動コイル１９は、第２レンズ移動体１０の腕部１０ｃの下側でかつ摺動部１０ｂの径方向内側に配置されるようになっている。そのため、カメラの不使用時において、レンズ駆動装置１を光軸３１方向で薄型化することができる。
【００６２】
［実施の形態２］
図７は、本発明の実施の形態２にかかるレンズ駆動装置を示す側面断面図である。図８は、図７に示すレンズ駆動装置の広角撮影時の状態を示す側面断面図である。図９は、図７に示すレンズ駆動装置の望遠撮影時の状態を示す側面断面図である。
【００６３】
本形態のレンズ駆動装置５１においては、第２駆動手段５６が、実施の形態１にかかるレンズ駆動装置１の第２駆動手段１６と構成上相違する。本形態のレンズ駆動装置５１のその他の構成は、レンズ駆動装置１と共通するため、共通する構成には同一の符号を付して、それらの説明は省略する。
【００６４】
レンズ駆動装置５１では、第２駆動手段５６が第２駆動磁石１７と第２駆動コイル１９とから構成された磁気的駆動手段となっている。すなわち、実施の形態１におけるレンズ駆動装置１において、図示上側の第２駆動コイル１８を取り外したものが本形態におけるレンズ駆動装置５１となっている。
【００６５】
また、レンズ駆動装置５１においては、レンズ駆動装置１と同様に、第１レンズ移動体９は、第１レンズ移動体９が固定体２４から図示上方へ突出して停止する第１停止位置と、第１レンズ移動体９が固定体２４へ格納されて停止する第２停止位置とで停止可能に構成されており、第１レンズ移動体９が第１停止位置で停止した状態で、広角撮影及び望遠撮影が可能になっている。そして、本形態のレンズ駆動装置５１が搭載されるカメラでは、図７に示す状態がカメラの不使用時の状態となる。また、図８に示す状態が広角撮影時の状態となり、図９に示す状態が望遠撮影時の状態になる。
【００６６】
本形態のレンズ駆動装置５１では、第１レンズ移動体９が第２停止位置で停止した状態で、第２レンズ移動体１０が移動可能に構成されている点でレンズ駆動装置１とは相違する。レンズ駆動装置５１では第２駆動コイル１８が取り付けられていないため、第２駆動コイル１８の光軸３１方向の厚み分が第２レンズ移動体１０の移動ストロークになっている。
【００６７】
図７に示す不使用時のレンズ駆動装置５１では、第１レンズ移動体９が第２停止位置に停止している。また、摺動部１０ｂの底面が固定レンズホルダ２７の当接面２７ｃに当接して、第２レンズ移動体１０が停止している。この状態では、実施の形態１と同様に一対の第１駆動コイル１４、１５及び第２駆動コイル１９への通電が停止されており、第２レンズ移動体１０は、第２駆動磁石１７と磁性片２３との間に生じる磁気的吸引力により安定的に停止している。すなわち、第２レンズ移動体１０は、固定体２４と磁気的に結合し、第１レンズ移動体９とは磁気的に分離して位置で停止している。このときの第２レンズ移動体１０の停止位置が分離停止位置となる。
【００６８】
この状態で、第２駆動磁石１７に対して磁気的反発力が作用するように第２駆動コイル１９に通電がされると、第２レンズ移動体１０が図示上方に移動して、第２レンズ移動体１０の摺動部１０ｂの上面が磁性片２２に当接して停止する。第２レンズ移動体１０が図示上方で停止した状態では、第２駆動コイル１９への通電が停止されており、第２レンズ移動体１０は、第２駆動磁石１７と磁性片２２との間に生じる磁気的吸引力により安定的に停止している。すなわち、第２レンズ移動体１０は、第１レンズ移動体９と磁気的に結合して停止している。このときの停止位置が結合停止位置となる。尚、第２レンズ移動体１０が結合停止位置に停止した状態で、第２駆動磁石１７に対して磁気的吸引力が作用するように第２駆動コイル１９に通電がされると、第２レンズ移動体１０が図示下方に移動して、第２レンズ移動体１０の摺動部１０ｂの底面が固定レンズホルダ２７の当接面２７ｃに当接して停止する。すなわち、第２レンズ移動体１０が分離停止位置に停止することになる。
【００６９】
第２レンズ移動体１０が分離停止位置に停止した状態で、第１駆動磁石１３に対して図示上方に推力を生じさせるように一対の第１駆動コイル１４及び１５の少なくともいずれか一方に通電がされると、第１駆動磁石１３と第１駆動コイル１４及び／又は１５との間に生じる磁気的な作用によって、第１レンズ移動体９のみが第２停止位置から第１停止位置まで移動して、図８に示す広角撮影時の状態になる。この状態は、図２に示すレンズ駆動装置１の広角撮影時の状態と共通するため、詳細な説明は省略する。
【００７０】
一方、第２レンズ移動体１０が結合停止位置に停止した状態で、第１駆動磁石１３に対して図示上方に推力を生じさせるように一対の第１駆動コイル１４及び１５の少なくともいずれか一方に通電がされると、第１駆動磁石１３と第１駆動コイル１４及び／又は１５との間に生じる磁気的な作用によって、第１レンズ移動体９と第２レンズ移動体１０とが一体で第２停止位置から第１停止位置まで移動して、図９に示す望遠撮影時の状態になる。この状態は、図３に示すレンズ駆動装置１の望遠撮影時の状態と共通するため、詳細な説明は省略する。
【００７１】
以上説明したように、本形態のレンズ駆動装置５１では、第１レンズ移動体９が第２停止位置で停止した状態で、第２レンズ移動体１０が結合停止位置と分離停止位置との間を移動可能に構成されている。また、第２レンズ移動体１０が結合停止位置あるいは、分離停止位置で停止した状態で、第１レンズ移動体９を第１停止位置まで移動させることで、広角撮影あるいは望遠撮影が可能となる。そのため、第２レンズ移動体１０の駆動手段を簡素化できる。より具体的には、実施の形態１における第２駆動コイル１８が不要となり、第２駆動磁石１７第２駆動コイル１９とによって、第２駆動手段５６を構成することができる。
【００７２】
すなわち、第１レンズ移動体９が固定体２４から突出して停止した第１停止位置で第２レンズ移動体１０を移動可能とした場合には、第２レンズ移動体１０の移動ストロークが長くなるため、その分、第２レンズ移動体１０を移動させるための磁気的駆動力が必要になる。しかし、本形態では、第１レンズ移動体９が固定体２４へ格納されて停止した第２停止位置で第２レンズ移動体９を移動可能としていることから、第２レンズ移動体１０の移動ストロークが短くなり、第２レンズ移動体１０の磁気的駆動力を小さくすることができる。その結果、第２レンズ移動体１０の第２駆動手段５６を簡素化できる。
【００７３】
［実施の形態３］
図１０は本発明の実施の形態３にかかるレンズ駆動装置を示す側面断面図である。
【００７４】
本形態のレンズ駆動装置６１は、固定体２４を光軸３１方向に移動可能に支持する基台６６と、固定体２４を光軸３１方向へ移動させる固定体駆動手段６２とを備えている点で、実施の形態１にかかるレンズ駆動装置１と構成上大きく相違する。レンズ駆動装置６１のその他の構成は、レンズ駆動装置１と共通するため、共通する構成には同一の符号を付して、それらの説明は省略する。また、本形態のレンズ駆動装置６１においては、その不使用時、広角撮影時及び望遠撮影時の状態がレンズ駆動装置１のものと共通するため、これらの各状態についても説明を省略する。
【００７５】
本形態では、レンズ駆動装置１の下ケース体２６に相当する下ケース体７０の構成がレンズ駆動装置１の下ケース体２６と相違している。具体的には、下ケース体７０の底部７０ａには、円筒状の脚部７０ｂが図示下方へ延在するように形成されている。脚部７０ｂの外周側には、固定体駆動手段６２を構成する後述の固定体駆動磁石６３が保持固定される磁石固定部７０ｃが径方向に突出するように形成されている。
【００７６】
基台６６は、外筒部６６ａと、外筒部６６ａの径方向内側に形成された内筒部６６ｂと、外筒部６６ａの図示下端側と内筒部６６ｂの図示下端側を連結するリング状の連結底部６６ｃとから構成されている。基台６６では、外筒部６６ａと連結底部６６ｃとに、固定体駆動手段６２を構成する後述の一対の固定体駆動コイル６４、６５が固定されるようになっている。また、連結底部６６ｃの内筒部６６ｂ側は、脚部７０ｂの底面が当接する当接面となっている。さらに、内筒部６６ｂの外周側に下ケース体７０の脚部７０ｂの内周側が嵌り込んで、固定体２４が光軸３１方向へ移動可能に構成されている。すなわち、内筒部６６ｂの外周面と脚部７０ｂの内周面とが摺動して、固定体２４が光軸３１方向へ移動するように構成されている。
【００７７】
固定体駆動手段６２は、固定体駆動磁石６３と一対の固定体駆動コイル６４、６５とから構成された磁気的手段である。固定体駆動磁石６３は、本形態ではリング状の永久磁石であり、径方向に着磁が施されている。また、一対の固定体駆動コイル６４、６５もリング状のボビンにリング状に巻回されて形成されている。
【００７８】
固定体駆動磁石６３は、磁石固定部７０ｃに固定されている。一方の固定体駆動コイル６４は外筒部６６ａの図示上端側に固定されている。また、固定体駆動コイル６４の上面にコイルボビンを介して当接するように扁平なリング状の磁性片６７が外筒部６６ａの図示上端側に取り付けられている。他方の固定体駆動コイル６５は、外筒部６６ａと連結底部６６ｃとの連結部に固定されている。また、固定体駆動コイル６５の下面にコイルボビンを介して当接するように扁平なリング状の磁性片６８が外筒部６６ａと連結底部６６ｃとの連結部に取り付けられている。
【００７９】
固定体駆動磁石６３及び一対の固定体駆動コイル６４、６５がそれぞれ固定された状態では、それぞれが光軸３１の方向に重なり合うように固定体駆動コイル６４、固定体駆動磁石６３、固定体駆動コイル６５の順番で図示上側から配置されている。そして、固定体駆動コイル６４及び／又は固定体駆動コイル６５に通電することで、固定体磁石６３と固定体駆動コイル６４及び／又は固定体駆動コイル６５との間で磁気的吸引力あるいは磁気的反発力が作用して、固定体駆動磁石６３に光軸３１方向の推力が発生するようになっている。尚、本形態では、図１０に示すように、固定体駆動手段６２が固定体２４の図示下方に構成されているが、固定体駆動手段６２は、固定体２４の径方向外側に構成するようにしても良い。
【００８０】
以上説明したように、本形態のレンズ駆動装置６１は、固定体２４を光軸３１方向に移動させる固定体駆動手段６２を更に備えている。そのため、固定体２４を光軸３１方向に移動させることで、望遠撮影、広角撮影に加え、マクロ（接写）撮影をすることも可能となる。従って、レンズ駆動装置６１が搭載されるカメラの多機能化を図ることができる。
【００８１】
［他の実施の形態］
上述した形態は、本発明の好適な形態の一例ではあるが、これに限定されるものではなく本発明の要旨を変更しない範囲において種々変形可能である。例えば、上述した形態では、レンズ移動体８は第１レンズ移動体９と第２レンズ移動体１０とから構成されていたが、レンズ移動体の数は２つに限定されず、３つあるいはそれ以上設けてもよい。この場合、各レンズ移動体の駆動手段を光軸３１に対して同心円状でかつ径方向に重合するように構成してやれば、レンズ駆動装置の光軸方向での薄型化を図ることができる。
【００８２】
また、上述した形態では図４に示すように、第１駆動磁石１３及び第２駆動磁石１７には、径方向で逆極であるＮ極（第１駆動コイル１３の内周側）とＳ極（第２駆動コイル１７の外周側）とが対向するように径方向に着磁が施されていたが、図１２に示すように径方向で同極が対向するように第１駆動磁石１３及び第２駆動磁石１７に着磁を施しても良い。この場合には、第１駆動磁石１３と第２駆動磁石１７との磁気的反発力が生じる。そのため、磁気的反発力を第１レンズ移動体９及び第２レンズ移動体１０の停止時におけるこれらのレンズ移動体９、１０の保持力として利用できる。例えば、図２に示す広角撮影時において、第１駆動磁石１３が第２駆動磁石１７よりも相対的に図示上方へ配置されるように設定することで、第１駆動磁石１３と第２駆動磁石１７との間には、それぞれ磁性片２０あるいは磁性片２３に押し付ける方向に磁気的反発力が発生する。従って、第１レンズ移動体９及び第２レンズ移動体１０を更に安定的に停止させることができるようになる。
【００８３】
さらに、第１駆動磁石１３及び第２駆動磁石１７に、径方向で逆極が対向するように、あるいは同極が対向するように着磁を施す場合には、周方向に分極して着磁を施しても良い。例えば、図１３に示すように、周方向には９０度ピッチで４極に分極着磁するとともに、径方向では、第１駆動磁石１３と第２駆動磁石１７とが逆極で対向するよう着磁を施しても良い。また、図１４に示すように、周方向には９０度ピッチで４極に分極着磁するとともに、径方向では、第１駆動磁石１３と第２駆動磁石１７とが同極で対向するよう着磁を施しても良い。
【００８４】
さらにまた、上述した形態では、第１駆動磁石１３及び第２駆動磁石１７はリング状の永久磁石であったが、必ずしもリング状である必要はなく、例えば、周方向に分割されたいわゆるセグメント形状の永久磁石であっても良い。
【００８５】
また、上述した形態では、第１レンズ移動体９及び第２レンズ移動体１０の停止位置はともに２箇所であったが、第１レンズ移動体９及び第２レンズ移動体１０の停止位置は２箇所に限定されない。例えば、第１レンズ移動体９の場合には、第１停止位置と第２停止位置との間に中間停止位置を設け、この中間停止位置で停止させても良い。この場合には、中間停止位置で第１レンズ移動体９を停止させるため、例えば、固定体２４に磁性片を固定する等の停止手段を設ける必要がある。
【００８６】
さらに、上述した形態では、例えば、第１駆動手段１２を、第１レンズ移動体９に固定された第１駆動磁石１３と、固定体２４に固定された第１駆動コイル１４、１５とから構成したが、第１駆動手段を第１レンズ駆動体９の固定された第１駆動コイルと固定体２４に固定された第１駆動磁石とから構成しても良い。すなわち、上述した形態における駆動磁石の被取付体と駆動コイルの被取付体とを入れ替えても良い。
【００８７】
さらにまた、上述した形態における第１駆動磁石１３あるいは第２駆動磁石１７に代えて磁性片を使用することも可能である。この場合には、第１レンズ移動体９あるいは第２レンズ移動体１０の停止時において、第１駆動コイル１４及び／又は第１駆動コイル１５あるいは第２駆動コイル１８及び／又は第２駆動コイル１９に通電をして第１レンズ移動体９、第２レンズ移動体１０を停止位置で保持する必要がある。
【００８８】
尚、本発明の実施の形態ではないが、本発明の実施の形態を応用した参考例を図１１に示す。図１１に示す参考例にかかるレンズ駆動装置７１は、実施の形態３にかかるレンズ駆動装置６１において、上ケース体２５に相当する上ケース体７５に第１移動レンズ２に相当する第１レンズ７２を固定し、また、下ケース体７０に相当する下ケース体７６に固定レンズ５を固定したものである。下ケース体７６には、実施の形態３にかかるレンズ駆動装置６１と同様に、円筒状の脚部７６ｂと磁石固定部７０ｃとが形成されている。このレンズ駆動装置７１では、第１レンズ移動体及び第１駆動手段が存在せず、第２レンズ移動体１０が第２駆動手段１６によって光軸３１方向に移動可能に構成されている。尚、図１１において、上述した形態と共通する構成には同一の符号が付してある。この参考例にかかるレンズ駆動装置７１においても、広角撮影、望遠撮影に加え、マクロ撮影が可能になっている。
【図面の簡単な説明】
【００８９】
【図１】本発明の実施の形態１にかかるレンズ駆動装置を示す側面断面図である。
【図２】図１に示すレンズ駆動装置の広角撮影時の状態を示す側面断面図である。
【図３】図１に示すレンズ駆動装置の望遠撮影時の状態を示す側面断面図である。
【図４】第１駆動磁石及び第２駆動磁石の着磁関係を説明する説明図である。
【図５】第２レンズ移動体を示す上面図である。
【図６】固定体の固定レンズホルダを示す上面図である。
【図７】本発明の実施の形態２にかかるレンズ駆動装置を示す側面断面図である。
【図８】図７に示すレンズ駆動装置の広角撮影時の状態を示す側面断面図である。
【図９】図７に示すレンズ駆動装置の望遠撮影時の状態を示す側面断面図である。
【図１０】本発明の実施の形態３にかかるレンズ駆動装置を示す側面断面図である。
【図１１】本発明の実施の形態３を応用した参考例にかかるレンズ駆動装置を示す側面断面図である。
【図１２】本発明の他の形態にかかる第１駆動磁石及び第２駆動磁石の着磁関係を説明する説明図である。
【図１３】本発明の他の形態にかかる第１駆動磁石及び第２駆動磁石の着磁関係を説明する説明図である。
【図１４】本発明の他の形態にかかる第１駆動磁石及び第２駆動磁石の着磁関係を説明する説明図である。
【符号の説明】
【００９０】
１  レンズ駆動装置
２  第１移動レンズ
３  第２移動レンズ
４  第３移動レンズ
５  固定レンズ
８  レンズ移動体
９  第１レンズ移動体
１０  第２レンズ移動体
１２  第１駆動手段
１３  第１駆動磁石
１４、１５  第１駆動コイル
１６  第２駆動手段
１７  第２駆動磁石
１８、１９  第２駆動コイル
２４  固定体
３１  光軸
５６  第２駆動手段
６２  固定体駆動手段
【図１】
2005308780.tif 000003
【図２】
2005308780.tif 000004
【図３】
2005308780.tif 000005
【図４】
2005308780.tif 000006
【図５】
2005308780.tif 000007
【図６】
2005308780.tif 000008
【図７】
2005308780.tif 000009
【図８】
2005308780.tif 000010
【図９】
2005308780.tif 000011
【図１０】
2005308780.tif 000012
【図１１】
2005308780.tif 000013
【図１２】
2005308780.tif 000014
【図１３】
2005308780.tif 000015
【図１４】
2005308780.tif 000016